(57)【要約】【課題】慶事物品及び飾りケースとの調和を考慮しながら、誰が慶事対象者であるかを明示する名札を設置する手段を有する飾りケースを提供する。【解決手段】破魔弓11を物品支持台２に支持させる慶事物品の飾りケース１において、物品支持台２と一体に、少なくとも慶事対象者の名前41を記載した名札４を支持する名札台３を設けた慶事物品の飾りケース１である。【効果】破魔弓及び飾りケースとの調和を考慮しながら、誰が慶事対象者であるかを明示する名札を設置する手段を有する飾りケースが提供できる。【選択図】図１
0003125128.tif 000002
【実用新案登録請求の範囲】
【請求項１】
節句人形、羽子板、破魔弓及びこれらに類する記念品であって特定の慶事対象者を祝う慶事物品を物品支持台に支持させる慶事物品の飾りケースにおいて、物品支持台と一体に、少なくとも慶事対象者の名前を記載した名札を支持する名札台を設けたことを特徴とする慶事物品の飾りケース。
【請求項２】
名札台は、名札の底面を接面させる載置部と、前記姿勢にある名札の背面に後方から当接させる支持部とからなる請求項１記載の慶事物品の飾りケース。
【請求項３】
名札台は、後方に傾けた姿勢にある名札の底面を接面させる載置部と、前記姿勢にある名札の背面に後方から当接させる支持部とからなり、載置部は後方に傾けた姿勢にある名札の底面前縁を前方から係止する滑り止めを設けた請求項１記載の慶事物品の飾りケース。
【請求項４】
名札台は、後方に傾けた姿勢にある名札の底面を接面させる載置部と、前記姿勢にある名札の背面に後方から当接させる支持部とからなり、支持部は名札の背面に接着及び剥離自在な接着端部を設けた請求項１記載の慶事物品の飾りケース。
【請求項５】
名札は、木製板又は木質様の外観に化粧された樹脂製板からなり、前面に慶事対象者の名前を印刷した透明シールを貼り付けてなる請求項１記載の慶事物品の飾りケース。
【請求項６】
節句人形、羽子板、破魔弓及びこれらに類する記念品であって特定の慶事対象者を祝う慶事物品を物品支持台に支持させて収納するケースにおいて、物品支持台と一体に、少なくとも慶事対象者の名前を記載した名札を支持する名札台を設けてなり、名札は木製板又は木質様の外観に化粧された樹脂製板の前面に慶事対象者の名前を印刷した透明シールを貼り付けてなり、前記名札台は後方に傾けた姿勢にある名札の底面を接面させる載置部と、前記姿勢にある名札の背面に後方から当接させる支持部とからなり、前記載置部は後方に傾けた姿勢にある名札の底面前縁を前方から係止する滑り止めを設け、前記支持部は名札の背面に接着及び剥離自在な接着端部を設けたことを特徴とする慶事物品の飾りケース。
【考案の詳細な説明】
【技術分野】
【０００１】
本考案は、節句人形、羽子板、破魔弓及びこれらに類する記念品であって特定の慶事対象者を祝う慶事物品を物品支持台に支持させる慶事物品の飾りケースに関する。
【背景技術】
【０００２】
節句人形、羽子板、破魔弓及びこれらに類する記念品の慶事物品の飾りケースは、慶事物品の見栄えをよくしたり、慶事物品を特定の姿勢で安定して支持するため、物品支持台が用いられる。例えば、節句人形を収納するケースは、節句人形の見栄えをよくするため、節句人形を載せる台座用の物品支持台や、節句人形の背景を支持する物品支持台が利用される。また、羽子板や破魔弓を収納するケースは、そのままでは羽子板や破魔弓が倒れてしまうことから、例えば特許文献１及び特許文献２に見られるように、羽子板を立て掛けて支える物品支持台や、破魔弓を貫通させて保持する物品支持台が利用される。このように、慶事物品の飾りケースは、慶事物品毎に適した物品支持台が用いられる。
【０００３】
慶事物品は、特定の人物（慶事対象者）を対象にして飾られることも少なくない。こうした特定の慶事対象者を祝う慶事物品の飾りケースは、誰が慶事対象者であるのかが一目瞭然になることが好まれる。この場合、例えば特許文献３に見られるように、慶事物品に慶事対象者の氏名等を記載した名札（メモリアルプレート）を取り付けることにより、誰が慶事対象者であるのかを一目瞭然にすることができる。特許文献３の名札は、物品支持台となる台座に設けたナットに対してボルト止めされたり、両面テープを用いて慶事物品に直接取り付ける。
【０００４】
【特許文献１】登録実用新案第3097019号公報（請求項１、図１）
【特許文献２】登録実用新案第3095388号公報（請求項１、図１）
【特許文献３】登録実用新案第3113637号公報（［0016］〜［0019］、図２及び図５）
【考案の開示】
【考案が解決しようとする課題】
【０００５】
特許文献３の名札は、誰が慶事対象者であるのかが一目瞭然になる表示手段として、簡易かつ確実であることから好ましいと考えられる。しかし、飾りケースにナットを設ける等、従来の飾りケースと大きく異なる工夫が必要であり、名札を取り外した飾りケースの外観を悪くする問題がある。また、特許文献３の名札は、慶事対象者の名前を記載した表示プレートを額縁プレートに収めて質感を高めているが、慶事物品又は飾りケースには本来存在しない額縁プレートは、どのようなデザインを施しても、慶事物品及び飾りケースと調和しにくい問題がある。
【０００６】
こうした特許文献３の名札に関する問題は、飾りケースと別体の名札を直接慶事物品又は飾りケースに取り付けようとしたことに起因する。そして、慶事物品及び飾りケースと調和しない名札と取り付けは、慶事対象者を祝う目的を阻害する意味で、解消されるべきである。そこで、慶事物品及び飾りケースとの調和を考慮しながら、誰が慶事対象者であるかを明示する名札を設置する手段を有する飾りケースを開発するため、検討した。
【課題を解決するための手段】
【０００７】
検討の結果開発したものが、節句人形、羽子板、破魔弓及びこれらに類する記念品であって特定の慶事対象者を祝う慶事物品を物品支持台に支持させる慶事物品の飾りケースにおいて、物品支持台と一体に、少なくとも慶事対象者の名前を記載した名札を支持する名札台を設けた慶事物品の飾りケースである。本考案の飾りケースは、物品支持台と一体に設けた名札台に名札を支持させることにより、慶事物品及び飾りケースと名札との調和を図る。この場合、名札台は物品支持台と同じ素材を用いて、同じデザイン又は一体的なデザインで構成することが好ましい。また、名札台及び前記名札台に支持される名札の位置関係は、慶事物品及び飾りケースの大きさ等によって異なるが、名札を慶事物品と調和のとれる木製とした場合、慶事物品の前面又は飾りケースの中央に名札台及び名札が位置するようにすることが望ましい。
【０００８】
名札台は、名札の底面を接面させる載置部と、前記姿勢にある名札の背面に後方から当接させる支持部とから構成するとよい。前記名札台による名札の安定かつ確実な支持には、載置部は後方に傾けた姿勢にある名札の底面前縁を前方から係止する滑り止めを設けたり、支持部は名札の背面に接着及び剥離自在な接着端部を設けるとよい。前記接着端部は、簡易には両面テープを用いることができる。このように名札を後方に傾けた姿勢にするには、名札の底面を斜めに作り、前記底面を名札台の載置部に接面させると、名札の姿勢が自ずと後方に傾いた姿勢になるようにするとよい。
【０００９】
本考案の飾りケースは、物品支持台と一体である名札台を構成することにより、慶事物品及び飾りケースと名札との調和を図っている。ここで、名札は、木製板又は木質様の外観に化粧された樹脂製板からなり、前面に慶事対象者の名前を印刷した透明シールを貼り付けた構成にすると、通常木製で構成される物品支持台、そして前記物品支持台と同素材で構成される名札台それぞれと調和のとれた名札とすることができる。また、前記名札に慶事対象者の名前を直接印刷又は刻印するのではなく、慶事対象者の名前を印刷した透明シールを貼ることにより、名札を安価かつ簡易に作ることができる。
【考案の効果】
【００１０】
本考案により、慶事物品及び飾りケースとの調和を考慮しながら、誰が慶事対象者であるかを明示する名札を設置する手段を有する飾りケースを提供できる。名札台は、載置部及び支持部の２個所で後方に傾けた姿勢にある名札を支持することで、名札を見栄えよく飾ることができる。このとき、載置部に設けた滑り止めにより、後方に傾いた姿勢にある名札が前方に滑って倒れないようし、支持部に設けた接着端部により、後方に傾いた姿勢にある名札の前記姿勢を維持する。これら滑り止め及び接着端部により、名札を見栄えのよい後方に傾いた姿勢に維持できる。そして、名札を木製又は木製様にすることで、慶事物品及び飾りケースとの調和を取りやすくし、しかも慶事対象者の名前を透明シールに印刷して貼り付ける名札の構成にすることにより、名札を安価かつ簡易に作ることができるようにする。
【考案を実施するための最良の形態】
【００１１】
以下、本考案の実施形態について図を参照しながら説明する。図１は本考案を破魔弓11の飾りケース１に適用した本例を表した正面図、図２は本例の物品支持台２及び名札台３を表した部分側面図、図３は本考案を羽子板51の飾りケース５に適用した別例を表した正面図であり、図４は別例の物品支持台６及び名札台７を表した部分側面図である。本例の破魔弓11又は別例の羽子板51は、生まれた子供が迎える初正月を祝って飾られる慶事物品であり、男の子なら破魔弓、女の子なら羽子板が飾られる。このように、破魔弓11又は羽子板51は、生まれた子供のみを慶事対象者とするから、慶事対象者を明らかにする本考案を最も好適に利用しうる。
【００１２】
本例の飾りケース１は、図１に見られるように、慶事物品として破魔弓11を飾るためのものである。本例の破魔弓11は、通常左右一対に２本がそれぞれ立てて飾られるため、名札台３は前記破魔弓11に挟まれる位置関係、すなわち左右中央に構成している。物品支持台２は、図２に見られるように、前飾り13の上面を兼ねる載置部21と、前記前飾り13の背面に立てた支柱22に支持される矢受け部23とから構成される。これにより、物品支持台２は、矢受け部23に矢12を貫通させ、そして載置部21に前記矢12の下端を当接させることにより、矢12を立て掛けた姿勢で飾ることができる。
【００１３】
本例の名札台３は、物品支持台２の載置部21を同じく名札４の載置部31に兼用し、前飾り13の前面上縁に沿って滑り止め32を設け、また物品支持台２の矢受け部23を名札４の支持部33に兼用して、前記支持部33に両面テープを貼り付けた接着端部34を構成している。図２に明らかなように、滑り止め32と接着端部34とは前後に離れた位置関係にあるため、名札４は必然的に後方へ傾いた姿勢で飾られる。更に本例では、名札４の底面を斜めに作ることにより、前記底面前縁を滑り止め32に係止させ、名札４の背面を接着端部34に接着させたとき、底面が載置部31に接面し、安定して後方に傾いた姿勢を維持できる。
【００１４】
名札４は、慶事対象者が誰であるか分かるように、前面に慶事対象者の名前41（図１中「○○○」と表示）を印刷した透明シール42を貼った木製板からなる。本例の透明シール42は、慶事対象者を明確にする観点から前記慶事対象者の生年月日44を印刷し、更に慶事物品である破魔弓11との調和を図る観点から、「寿」の文字43を印刷している。このほか、図示を省略するが、慶事対象者の名前41を囲むように模様や図柄を印刷し、慶事対象者を祝う華やかな透明シール42とすることもできる。透明シール42は名札４と別体であり、様々な文字、模様や図柄を印刷することが容易である。こうした透明シール42を用いることにより、まさに慶事対象者のみを対象とした一品物の名札４を作り出すことができる。
【００１５】
別例の羽子板51の飾りケース５は、図３に見られるように、慶事物品として羽子板51を飾るためのものである。別例の羽子板51は、通常左右中央に立てて飾られるが、羽子板51の飾り52は逆台形状の基板53に設けられ、前記基板53から延びる把手54（図４参照）を下にして立てられるため、名札台７は前記把手54の前面に構成している。物品支持台６は、図４に見られるように、飾り台55の上面を兼ねる保持部61と、前記飾り台55の背面に立てた支柱62に支持される支持部63とから構成される。前記保持部61は、羽子板51の把手54を貫通させる保持孔64を設けている。これにより、物品支持台６は、保持部61の保持孔64に把手54を貫通させた羽子板51を後方に傾け、支持部63に前記羽子板51の基板53を後方から当てて支持させて、羽子板51を後方に傾いた姿勢で飾ることができる。このほか、羽子板51を安定して支持するため、物品支持台６の支持部63は名札台７の支持部74同様、接着端部65を設けて羽子板51の背面を接着している。
【００１６】
別例の名札台７は、物品支持台６の保持部61を名札８の載置部71として兼用し、飾り台55の前面上縁に沿って滑り止め72を設け、また前記載置部71の保持孔64前方に立てた支柱73に支持部74を設け、前記支持部74に両面テープを貼り付けた接着端部75を構成している。図４に明らかなように、滑り止め72と接着端部75とは前後に離れた位置関係にあり、また上記同様、名札８の底面を斜めに作っているので、前記底面前縁を滑り止め72に係止させ、名札８の背面を接着端部75に接着させたとき、底面が載置部71に接面し、名札８を安定して後方に傾いた姿勢を維持できる。別例の名札８は上記例示の名札４と同構成であるため、説明は省略する。
【図面の簡単な説明】
【００１７】
【図１】本考案を破魔弓の飾りケースに適用した本例を表した正面図である。
【図２】本例の物品支持台及び名札台を表した部分側面図である。
【図３】本考案を羽子板の飾りケースに適用した別例を表した正面図である。
【図４】別例の物品支持台及び名札台を表した部分側面図である。
【符号の説明】
【００１８】
１  破魔弓の飾りケース
11  破魔弓
２  物品支持台
３  名札台
31  載置部
32  滑り止め
33  支持部
34  接着端部
４  名札
41  名前
42  透明シール
５  羽子板の飾りケース
51  羽子板
55  飾り台
６  物品支持台
７  名札台
71  載置部
72  滑り止め
73  支柱
74  支持部
75  接着端部
８  名札
【図１】
0003125128.tif 000003
【図２】
0003125128.tif 000004
【図３】
0003125128.tif 000005
【図４】
0003125128.tif 000006